(57)【要約】【課題】一般的に入手できる部材を用い、小型化が可能であり、メンテナンス作業が容易であるマーキング機構を提供する。【解決手段】帳票８を読み取る帳票読み取り装置に設けられ、読み取った帳票８にマーキングを行うマーキング機構である。筆記具２３を保持する保持手段２１が設けられ、筆記具２３が帳票８に一時的に接触するように保持手段２１を移動する移動手段２０が設けられている。【選択図】  図５
2004265160.tif 000002
【特許請求の範囲】
【請求項１】
帳票を読み取る帳票読み取り装置に設けられ、読み取った帳票にマーキングを行うマーキング機構であって、  筆記具を保持する保持手段と、
前記筆記具が前記帳票に一時的に接触するように前記保持手段を移動する移動手段と
を有することを特徴とするマーキング機構。
【発明の詳細な説明】
【０００１】
【発明の属する技術分野】
本発明は帳票読み取り装置のマーキング機構に関し、特に、バーコード、ＯＣＲ等のデータ入り伝票を連続して読み取ることができる帳票読み取り装置のマーキング機構に関する。
【０００２】
【従来の技術】
バーコード、ＯＣＲ伝票等を読み取る連続読み取り装置には、従来から高速でバーコード、ＯＣＲ伝票を搬送させながらマーキングする機構がすでに存在する。
このマーキング機構が組み込まれている装置は大量のバーコード、ＯＣＲ伝票を分離しながら一枚ずつ搬送させ搬送路に装備されているバーコード、ＯＣＲ読み取り機器による読み取る機構を有している。
バーコード、ＯＣＲをバーコード、ＯＣＲ読み取り機器により正常に読みとれた場合には読み取り済みとしてマーキングを行ってきた。
【０００３】
以下、図面を参照して本発明の従来技術について説明する。
【０００４】
図１は静止しているマーキング機構についての機構斜視図である。
図２は動作しているマーキング機構についての機構斜視図である。
まず、図示していないバーコード、ＯＣＲ伝票搬送機構により搬送されたバーコード、ＯＣＲ伝票はバーコード、ＯＣＲ読み取り機器により読み取られマーキング機構まで搬送される。
バーコード、ＯＣＲ読み取り機器により正常に読み取られたバーコード、ＯＣＲ伝票９は、このマーキング機構部によりマーキングされる。ソレノイド４が引かれることによりアーム６を介してスタンプホルダ２に伝達され、スタンプホルダ２がシャフト７を支点としてバーコード、ＯＣＲ伝票９の方向へ移動する。
移動したスタンプホルダ２はスタンプホルダ２内に装着されているＯリング８とバーコード、ＯＣＲ伝票９が接触することにより回転し、スタンプホルダ２内に装着されているゴム印１が回転することによりインクローラー３と接触してからバーコード、ＯＣＲ伝票９と接触し、マーキングを行う。
アーム６にはフォトマイクロセンサ５を遮断する機構が設けられている。ソレノイド４が引かれ回転動作を行う際には、フォトマイクロセンサ５を遮断しないようにアーム６が移動して、マーキング機構が正常に動作していることが確認する。
【０００５】
【発明が解決しようとする課題】
このような従来のマーキング機構では専用のインクローラーや専用のゴム印を使用しているので、構造的に小型化が困難であり、更に、定期的なインクローラーへのインク補充、消耗によるインクローラーの交換、ゴム印の交換などのメンテナンス作業が必要である。
本発明の目的は、一般的に入手できる部材を用い、小型化が可能であり、メンテナンス作業が容易であるマーキング機構を提供することにある。
【０００６】
【発明が解決しようとする手段】
本発明は、帳票を読み取る帳票読み取り装置に設けられ、読み取った帳票にマーキングを行うマーキング機構であって、筆記具を保持する保持手段と、前記筆記具が前記帳票に一時的に接触するように前記保持手段を移動する移動手段とを有することを特徴とする。これにより、一般的に入手可能なボールペン（替え芯）のような筆記具を使用することができ、従来必要であったインクローラーへのインク補充、消耗によるインクローラーの交換、ゴム印の交換の作業を排除し、筆記具の交換だけでよいのでメンテナンス作業が容易になる。また、簡単な機構で実現できるので小型化も可能である。
【０００７】
【発明の実施の形態】
以下、図面を参照して本発明の一実施形態について説明する。
【０００８】
図３は、本発明の一実施形態によるマーキング機構が設けられたバーコード、ＯＣＲ伝票等の連続読み取り装置の外観斜視図である。図４は、バーコード、ＯＣＲ伝票等の連続読み取り装置の概略構成図である。図５は、待機時におけるマーキング機構の斜視図である。図６は、マーキング時におけるマーキング機構の斜視図である。
次に、本実施形態のバーコード、ＯＣＲ伝票等連続読み取り装置の動作概要について図１乃至図６に基づいて説明する。
【０００９】
まず、読み取らせるバーコード、ＯＣＲ伝票９をホッパ１１にセットし、図示していないインターフェースを介して送信されるコマンドまたはバーコード、ＯＣＲ連続読み取り装置のスイッチを押下することにより読み取りを開始する。読取が開始されると、搬送モーター１５が動作し、搬送ローラー１６が回転するとともに、取り出しモーター１２が動作し、取り出しベルト１３が回転し、ホッパ１１にセットされたバーコード、ＯＣＲ伝票９が一枚ずつ取り込まれる。
取り込まれたバーコード、ＯＣＲ伝票９がフロントセンサ１４に到達すると取り出しモーター１２は停止するが、バーコード、ＯＣＲ伝票９はフロントセンサ１４は停止しない搬送モーター１５により回転している搬送ローラー１６により搬送され続ける。
【００１０】
バーコード、ＯＣＲ伝票９がミドルセンサ１７に到達するとバーコード、ＯＣＲスキャナ１９により読み取り動作が開始され、図示されていない内部基板によりデコードされる。
この間もバーコード、ＯＣＲ伝票９は搬送され続ける。
正常にデコードすることが出来たバーコード、ＯＣＲ伝票９はスタンプユニット２５によってマーキングされ、排出される。
リアセンサ１８がバーコード、ＯＣＲ伝票９の後端を検出することにより、バーコード、ＯＣＲ伝票９以外へのマーキング防止を制御する。
【００１１】
次に、本発明の要部であるマーキング機構について図５、図６に基づいて説明する。
デコードが完了したバーコード、ＯＣＲ伝票９がスタンプユニット２５の下に搬送されるとソレノイド２０が引かれる。ソレノイド２０が引かれることにより、アーム２１がシャフト２６を支点に動作し、アーム２１に装着されているボールペン（替え芯）２３がバーコード、ＯＣＲ伝票９方向へ移動し接触する。
ボールペン（替え芯）２３が接触しながらバーコード、ＯＣＲ伝票９が搬送されるので、ペン先からインクが送り出されてバーコード、ＯＣＲ伝票９上にマーキングである線が引かれる。ソレノイド２０が吸引されている間中、線が引かれることになる。このとき、フォトマイクロセンサ２２はアーム２１に設けられた遮断機構により遮断されない。フォロマイクロセンサ２２の検出信号によりマーキングが正常に行われているかを監視する。
【００１２】
マーキングが終了すると、ソレノイド２０の励磁を切ることにより、アーム戻しバネ２７により待機状態へと戻る。
このとき、フォトマイクロセンサ２２はアーム２１に設けられた遮断機構により遮断される。フォロマイクロセンサ２２の検出信号により正常にソレノイド２０およびアーム２１が戻ったことを確認する。
ボールペン（替え芯）２３はアーム２１に差し込む構造となっており、ネジ式となっているキャップ２４を外すことにより簡単に交換することが出来る。
更に、本実施形態では、筆記具としてボールペンの替え芯を用いたので、インクローラーへのインク補充、インクローラー、ゴム印の消耗による交換が不要となる。また、小型化も可能となる。
本発明は上記実施形態に限らず種々の変形が可能である。例えば、上記実施形態の筆記具としてボールペンの替え芯を用いたが、ボールペンを用いても良いし、水性、マーカー、油性マーカー、万年筆、鉛筆、シャープペンシル等の筆記具を用いてもよい。
また、上記実施形態ではボールペンを保持するアームの移動手段として、ソレノイドを用いたが、ＤＣモーター等の電磁駆動手段を用いてもよい。
また、上記実施形態ではソレノイドの駆動により、アームを介してボールペンを移動させているが、ボールペンを直接ソレノイドに取付ける移動手段を用いてもよい。
【００１３】
【発明の効果】
以上に説明したように本発明によれば、筆記具を保持する保持手段と、前記筆記具が前記帳票に一時的に接触するように前記保持手段を移動する移動手段とを設けたので、一般的に入手可能なボールペン（替え芯）のような筆記具を使用することができ、従来必要であったインクローラーへのインク補充、消耗によるインクローラーの交換、ゴム印の交換の作業を排除し、筆記具の交換だけでよいのでメンテナンス作業が容易になる。また、簡単な機構で実現できるので小型化も可能である。
【図面の簡単な説明】
【図１】従来のマーキング機構の斜視図である。
【図２】従来のマーキング機構の斜視図である。
【図３】本発明の一実施形態によるマーキング機構を有するバーコード、ＯＣＲ伝票等の連続読み取り装置の外観斜視図である。
【図４】本発明の一実施形態によるバーコード、ＯＣＲ伝票等の連続読み取り装置の概略構成図である。
【図５】本発明の一実施形態によるマーキング機構の斜視図である。
【図６】本発明の一実施形態によるマーキング機構の斜視図である。
【符号の説明】
１    ゴム印
２    スタンプホルダ
３    インクローラ
４    ソレノイド
５    フォトマイクロセンサ
６    アーム
７    シャフト
８    Ｏリング
９    バーコード、ＯＣＲ伝票
１０    バーコード、ＯＣＲ伝票連続読み取り装置
１１    ホッパ
１２    取り出しモーター
１３    取り出しベルト
１４    フロントセンサ
１５    搬送モーター
１６    搬送ローラー
１７    ミドルセンサ
１８    リアセンサ
１９    バーコード、ＯＣＲスキャナ
２０    ソレノイド
２１    アーム
２２    フォトマイクロセンサ
２３    ボールペン（替え芯）
２４    キャップ
２５    スタンプユニット
２６    シャフト
２７    アーム戻しバネ
２８    ソレノイド取付金具
２９    長穴
【図１】
2004265160.tif 000003
【図２】
2004265160.tif 000004
【図３】
2004265160.tif 000005
【図４】
2004265160.tif 000006
【図５】
2004265160.tif 000007
【図６】
2004265160.tif 000008